【事件の表示】
　特願２００５−５１１３６９「情報記録媒体、情報記録装置及び方法、情報再生装置及び方法、情報記録再生装置及び方法、記録又は再生制御用のコンピュータプログラム、並びに制御信号を含むデータ構造」拒絶査定不服審判事件〔平成１７年１月１３日国際公開、ＷＯ２００５／００４４７７〕について、次のとおり審決する。
【結　論】
　本件審判の請求は、成り立たない。
【理　由】
１．手続の経緯・本願発明
　本件審判の請求に係る特許出願（以下「本願」という。）は、２００４（平成１６）年６月２９日（優先権主張　２００３（平成１５）年７月１日、日本国）を国際出願日とする出願であって、平成１８年７月３日付けの拒絶理由通知に対して、同年９月１日付けで手続補正がされたが、同年１０月４日付けで拒絶査定がされ、これに対し、同年１１月８日付けで拒絶査定不服審判が請求されるとともに、同年１１月１７日付けで手続補正がされ、さらに、特許法第１６２条に基づく審査（前置審査）における平成１９年２月２０日付けの拒絶理由通知に対して、同年５月１日付けで手続補正がされたものである。その後、前置報告書の内容に基づく平成２０年９月２４日付けの審尋に対して、同年１２月１日付けで回答書が提出されている。
　
　そして、本願の請求項１乃至２０に係る各発明は、平成１９年５月１日付け手続補正書の特許請求の範囲の請求項１乃至２０に記載された事項により特定されるものと認められるところ、その請求項１に係る発明（以下、「本願発明」という。）は、以下のとおりである。
　
「【請求項１】
　コンテンツ情報と、
　前記コンテンツ情報に関する操作を可能とするボタンメニューを規定するボタン情報と、
　前記コンテンツ情報の再生シーケンスを、前記コンテンツ情報を構成すると共に再生時にアクセス可能なアイテム単位で規定するプレイリスト情報と
　が記録されており、
　前記ボタン情報は、夫々が前記ボタンメニューを構成可能であると共に、相互に表示切替可能な複数のボタンページを含み、
　前記プレイリスト情報は、前記コンテンツ情報を構成する各アイテムを指示するアイテム情報と、前記ボタン情報をサブアイテムとして指示するサブアイテム情報とを夫々含み、
　前記アイテム情報は、前記アイテムの再生時刻を示す情報を含み、
　前記サブアイテム情報は、前記サブアイテムの再生時刻を示す情報を含み、
　前記複数のボタンページは、夫々同一の再生時刻を有することを特徴とする情報記録媒体。」
　
２．先願発明
　上記前置審査における拒絶理由通知において引用された、本願の優先権主張の日前の他の出願であって本願の優先権主張の日後に出願公開がされた特願２００３−８８６８９号（特開２００４−７５１８号）の願書に最初に添付された明細書又は図面（以下、「先願明細書等」という。）には、パッケージメディア等に関して図面とともに以下の技術事項が記載されている。（下線は当審で付した。）
　
　（ａ）「【請求項１】
再生装置によって再生されるパッケージメディアであって、ビデオオブジェクトと、このビデオオブジェクトに関する管理情報とを格納し、前記管理情報は、再生リスト情報と、少なくともユーザオペレーションを含むイベントにより起動される複数のイベントハンドラとを含み、このイベントハンドラには識別子が割り当てられ、
前記再生リスト情報は、ビデオオブジェクトの再生区間を指定する情報と、この再生区間が再生されている間に有効となる前記イベントハンドラの識別子とを含むセル情報、および前記セル情報により指定された再生区間の再生順序を示す再生順序情報を有する、
パッケージメディア。
　（ｂ）「【００１５】
簡単なインタラクティビティの例として、ここでメニューを説明する。
メニュー画面上には、幾つかのボタンが現れ、夫々のボタンには当該ボタンが選択実行された時の処理が定義されている。
リモートコントローラの上下左右キーを使って選択実行したいボタンにハイライトを移動させた後、ユーザが選択実行を指定（実行キーを押す）すると、対応する処理、一般的には対応するタイトルやチャプタの再生が実行される。
　（ｃ）「【００５５】
セルとＶＯＢとの関係について図４９を参照して説明する。前述のようにＶＯＢ２０１はＨＤ−ＤＶＤディスクに格納されたＭＰＥＧストリームである。
一つのセル２０２は再生開始時間（ｉｎ）と再生終了時間（ｏｕｔ）を有し、これによって対応する一つのＶＯＢの全部又は一部を再生区間して指定する。
セル２０２は１個又は複数個のメニューを有することができ、メニューの開始時間から終了時間までの間はそのメニューに対応するイベントハンドラを起動することができる。
　（ｄ）「【００６７】
（メニューおよびイベントハンドラ）
図６はメニュー構成を示す図である。
【００６８】
本実施例の中で
メニュー構造とは、従来例で説明したようなチャプタメニューを実現するための構造であり
【００６９】
メニュー上のボタン画像は、イメージデータによって作られる。ボタン画像は背景であるビデオ映像にオーバーレイされ、合成画面がＴＶ画面上に表示される。イメージとビデオの合成はプレーヤ構成において説明した通りである。メニューを構成するイメージデータの制御、および、ユーザがボタンを選択実行した場合の制御は、メニュー情報によって記述され、スクリプトプロセッサ２０２によって処理が行われる。
【００７０】
図６右上部がメニュー情報であり、ＸＭＬ（ｅＸｔｅｎｓｉｂｌｅ　Ｍａｒｋｕｐ　Ｌａｎｇｕａｇｅ）を用いて記述が行われている。
【００７１】
各メニュー情報は＜ｍｅｎｕ＞タグによって宣言され、終了タグ＜／ｍｅｎｕ＞までが一連のメニュー情報となる。＜ｍｅｎｕ＞タグは内部に属性として、メニュー開始時刻「ｉｎ」とメニュー終了時刻「ｏｕｔ」を有している。
【００７２】
「ｍｅｎｕ」要素は内部に子要素「ｂｕｔｔｏｎ」を複数持つことができる。
「ｂｕｔｔｏｎ」はメニュー上のボタンに相当し、メニュー上に置かれるボタンの数だけ「ｂｕｔｔｏｎ」要素が宣言される。
【００７３】
「ｂｕｔｔｏｎ」は内部に子要素「ｅｖｅｎｔ＿ｃａｌｌ」を１つ持つ。これはユーザオペレーションに対応するイベントハンドラへのリンクを記述するための要素である。＜ｅｖｅｎｔ＿ｃａｌｌ＞タグは属性として、「ｌｅｆｔ」「ｒｉｇｈｔ」「ｕｐ」「ｄｏｗｎ」「ａｃｔｉｏｎ」を持ち、夫々ユーザのリモートコントローラ操作「上」「下」「左」「右」「（選択）実行」に対応している。
例えば、図６でボタン１に対応している最初の「ｂｕｔｔｏｎ」要素の「ｅｖｅｎｔ」要素は、属性「ａｃｔｉｏｎ」の値（属性値）が”ｅ２”であり、ユーザが「ボタン１」を選択実行した場合、”ｅ２”に対応するイベントハンドラが実行されるスクリプトプロセッサ２０２によって実行処理されることになる。
　（ｅ）「【００８５】
図１０は、イメージデータの遷移を説明する図である。
【００８６】
前述した通り、イメージデータは主映像上に合成表示される。メニューボタン映像は、主映像ではなく、イメージデータ上に描画され、イメージデータとして選択ボタンや非選択ボタンが描かれる。複数のイメージデータをセットとして持ち、複数のイメージデータから１つのイメージデータを選択描画する。
【００８７】
例えば、４つのボタンから構成されるメニューの場合は、夫々のボタンが選択状態となっているイメージデータを夫々持ち、即ち４つ持ち、また、選択実行を描いたイメージを４つのボタン夫々毎に持つ、即ち４つ持つ。合計８つのイメージデータが１つのメニューに対応する構成で、ボタンの選択状態に合わせて適切なイメージを選択表示する。
　（ｆ）「【００９３】
図１１は、メニュー上に２つのボタンがある場合の例を示している。このメニューの場合は、４つのイメージが存在し、　
ボタン１の選択画面
ボタン１の選択実行画面
ボタン２の選択画面
ボタン２の選択実行画面
夫々が、イメージ０、イメージ１、イメージ２、イメージ３に対応し、イメージユニット内でのフレーム０、フレーム１、フレーム２、フレーム３に夫々対応する。
各ボタンのイベントハンドラに夫々の遷移先イメージを表示するようにスクリプトをプログラミングしておくことで、対応するイメージへの遷移が行われる。これら４つのイメージは、イメージメモリ２１２に格納され、その中から１つのイメージが選択されイメージプレーン上に描画表示される。
　（ｇ）図１０には、
ボタンが選択状態となっている複数のイメージ１、２、５、６について、互いに遷移可能である
　
　上記摘示事項及び図面を総合勘案すると、先願明細書等には、次の発明（以下、「先願発明」という。）が記載されているものと認める。
「ビデオオブジェクトと、このビデオオブジェクトに関する管理情報とを格納し、前記管理情報は、再生リスト情報と、少なくともユーザオペレーションを含むイベントにより起動される複数のイベントハンドラとを含み、このイベントハンドラには識別子が割り当てられ、
前記再生リスト情報は、ビデオオブジェクトの再生区間を再生開始時間（ｉｎ）と再生終了時間（ｏｕｔ）によって指定する情報と、この再生区間が再生されている間に有効となる前記イベントハンドラの識別子とを含むセル情報、および前記セル情報により指定された再生区間の再生順序を示す再生順序情報を有する、
パッケージメディアであって、
セルはタイトルやチャプタの再生が実行されるメニューを有することができ、各メニュー情報はメニュー開始時刻「ｉｎ」とメニュー終了時刻「ｏｕｔ」を有し、メニューの開始時間から終了時間までの間はそのメニューに対応するイベントハンドラを起動することができ、
メニューを構成するボタン画像のイメージデータの制御は、メニュー情報によって記述され、
メニュー上のボタンを選択実行した場合に対応するイベントハンドラが実行処理され、
各ボタンのイベントハンドラにメニューの夫々の遷移先イメージを表示するようにスクリプトをプログラミングしておくことで、対応するイメージへの遷移が行われ、
メニューに存在する複数のイメージは、イメージメモリに格納され、その中から１つのイメージが選択され描画表示される
パッケージメディア。」
　
３．対比
　本願発明を、先願発明と比較する。
　（１）先願発明における「ビデオオブジェクト」、「ビデオオブジェクトの再生区間」、「ビデオオブジェクトの再生区間を・・・指定する情報・・・を含むセル情報」、及び「パッケージメディア」は、本願発明における「コンテンツ情報」、「コンテンツ情報を構成すると共に再生時にアクセス可能なアイテム」、「前記コンテンツ情報を構成する各アイテムを指示するアイテム情報」、及び「情報記録媒体」にそれぞれ相当する。また、先願発明における「ビデオオブジェクトの再生区間を再生開始時間（ｉｎ）と再生終了時間（ｏｕｔ）によって指定する情報・・・を含むセル情報」は、本願発明における「前記アイテム情報は、前記アイテムの再生時刻を示す情報を含み」に相当する構成を備えている。
　先願発明における「再生リスト情報」は、「前記セル情報により指定された再生区間の再生順序を示す再生順序情報を有する」ものであるから、本願発明における「前記コンテンツ情報の再生シーケンスを、前記コンテンツ情報を構成すると共に再生時にアクセス可能なアイテム単位で規定するプレイリスト情報」に相当する。
　（２）先願発明における「セル」は「タイトルやチャプタの再生が実行されるメニューを有することができ」、「メニューを構成するボタン画像のイメージデータの制御は、メニュー情報によって記述され」るものであるから、当該「メニュー情報」における「メニューを構成するボタン画像のイメージデータの制御」に係る記述部分は、本願発明における「前記コンテンツ情報に関する操作を可能とするボタンメニューを規定する」「情報」に相当する。また、先願発明は、「メニューを構成するボタン画像のイメージデータの制御は、メニュー情報によって記述され」、当該「メニューを構成するボタン画像」は、互いに遷移可能である複数のイメージで構成されうるものであるから（上記２．（ｇ）参照。）、先願発明における上記「メニュー情報」における「メニューを構成するボタン画像のイメージデータの制御」に係る記述部分（「ボタンメニューを規定する」「情報」）は、「夫々が前記ボタンメニューを構成可能であると共に、相互に表示切替可能な複数のボタンページを含み」との構成を備えている点で、本願発明と共通する。
　先願発明における「セル」は、「タイトルやチャプタの再生が実行されるメニュー」を有することができるものであり、当該メニューを有するセルの情報は、上記「メニュー情報」における「メニューを構成するボタン画像のイメージデータの制御」に係る記述部分に加えて、「メニュー開始時刻「ｉｎ」とメニュー終了時刻「ｏｕｔ」を有」するから、先願発明は「前記ボタン（メニューを規定する）情報をサブアイテムとして指示するサブアイテム情報」を備える点で本願発明と共通し、また、本願発明における「前記サブアイテム情報は、前記サブアイテムの再生時刻を示す情報を含み」に相当する構成を備えている。
　（３）先願発明における上記「再生リスト情報」は、「セル情報」を有するものであり、当該「セル情報」が上記本願発明の「アイテム情報」及び「サブアイテム情報」に相当する各構成を有することは、上記（１）及び（２）において示したとおりであるから、先願発明における「再生リスト情報」は、「前記プレイリスト情報は、前記コンテンツ情報を構成する各アイテムを指示するアイテム情報と、前記ボタン（メニューを規定する）情報をサブアイテムとして指示するサブアイテム情報とを夫々含み」との構成を備える点で、本願発明と共通する。
　（４）先願発明は、「メニューの開始時間から終了時間までの間はそのメニューに対応するイベントハンドラを起動することができ、」「メニュー上のボタンを選択実行した場合に対応するイベントハンドラが実行処理され、」「各ボタンのイベントハンドラに夫々の遷移先イメージを表示するようにスクリプトをプログラミングしておくことで、対応するイメージへの遷移が行われ」との構成を備えるものであるところ、前記メニューに存在する「複数のイメージ」（ボタンページ）は、「イメージメモリに格納され、その中から１つのイメージが選択され描画表示される」ものであるから、メニューの開始時間から終了時間までの間は、前記いずれのイメージ（ボタンページ）も再生可能な状態にあり、実質的に「夫々同一の再生時刻を有する」ものであるといえる。
　
　すると、両者の一致点及び一応の相違点は次のとおりである。
（一致点）
「コンテンツ情報と、
　前記コンテンツ情報に関する操作を可能とするボタンメニューを規定（し）、
　前記コンテンツ情報の再生シーケンスを、前記コンテンツ情報を構成すると共に再生時にアクセス可能なアイテム単位で規定するプレイリスト情報と
　が記録されており、
　前記ボタン（メニューを規定する）情報は、夫々が前記ボタンメニューを構成可能であると共に、相互に表示切替可能な複数のボタンページを含み、
　前記プレイリスト情報は、前記コンテンツ情報を構成する各アイテムを指示するアイテム情報と、前記ボタン（メニューを規定する）情報をサブアイテムとして指示するサブアイテム情報とを夫々含み、
　前記アイテム情報は、前記アイテムの再生時刻を示す情報を含み、
　前記サブアイテム情報は、前記サブアイテムの再生時刻を示す情報を含み、
　前記複数のボタンページは、夫々同一の再生時刻を有する情報記録媒体。」
　
（一応の相違点）
　上記ボタンメニューを規定する情報について、本願発明では「ボタン情報」としてプレイリスト情報とは別に格納されているのに対し、先願発明では「メニュー情報におけるメニューを構成するボタン画像のイメージデータの制御に係る記述部分」が「再生リスト情報」（プレイリスト情報）の中に含まれる形で格納されている点。
　
４．判断
　上記一応の相違点について検討する。
　記録媒体への各種情報の格納方法として、一体的に格納するものや、各種情報間の対応関係の情報とともに区画して格納するものは、いずれも情報記録分野における慣用の技術と認められるから、先願発明において、ボタンメニューを規定する情報を再生リスト情報（プレイリスト情報）とは別に格納して、再生リスト情報（プレイリスト情報）において指示する構成を採ることは、当業者が任意に選択する程度の設計上の微差にすぎない。
　
　よって、本願発明は先願発明と実質的に同一である。しかも、本願発明の発明者が先願発明の発明者と同一であるとも、また、本願出願の時に、その出願人が上記先願の出願人と同一であるとも認められないので、本願発明は、特許法第２９条の２の規定により特許を受けることができないものである。
　
５．むすび
　以上のとおり、本願の請求項１に係る発明は、特許法第２９条の２の規定により特許を受けることができない。
　したがって、本願は、その余の請求項について論及するまでもなく、拒絶すべきものである。
　
　よって、結論のとおり審決する。